(57)【要約】【課題】直流吐水とシャワー吐水の切り換え動作により吐出位置が変化せず、確実に切り換えを行うことができる吐水装置を提供する。【解決手段】本発明は、シャワー吐水及び直流吐水が可能な吐水装置（１）であって、吐水装置本体（８）と、この吐水装置本体の先端部に設けられた直流吐水部（１０）と、直流吐水部よりも基端側に設けられたシャワー吐水部（１２）と、吐水装置本体内に設けられ、先端部まで延びる往路管路（８ａ）と、先端部まで導かれた水道水を、シャワー吐水部にＵターンさせる折返し通路（８ｄ）と、先端部に導かれた水道水を直流吐水部又は折返し通路に流入させる切換手段と、を有し、この切換手段は、直流吐水方向の相対移動により開閉される切換用閉鎖体（１６）及び切換用通水孔（１８ａ）を備え、この切換用通水孔は開放されると直流吐水部から吐水され、閉鎖されると水道水が折返し通路に流入されることを特徴としている。【選択図】図２
2009079420.tif 000002
【特許請求の範囲】
【請求項１】
シャワー吐水及び直流吐水が可能な吐水装置であって、
水道水の供給管に接続された吐水装置本体と、
この吐水装置本体の先端部に設けられ、所定の直流吐水方向に水道水を吐出させる直流吐水部と、
上記吐水装置本体の、上記直流吐水部よりも基端側に設けられたシャワー吐水部と、
上記吐水装置本体内に設けられ、上記供給管から流入した水道水を上記吐水装置本体の先端部まで導く往路管路と、
この往路管路に対してほぼ平行に延び、上記往路管路によって上記吐水装置本体の先端部まで導かれた水道水を、上記吐水装置本体の先端部から上記シャワー吐水部にＵターンさせる折返し通路と、
上記往路管路によって先端部に導かれた水道水を上記直流吐水部又は上記折返し通路に流入させる切換手段と、を有し、
この切換手段は、上記直流吐水方向の相対移動により開閉される切換用閉鎖体及び切換用通水孔を備え、この切換用通水孔が開放されると上記直流吐水部から吐水され、上記切換用通水孔が閉鎖されると、水道水が上記折返し通路に流入されることを特徴とする吐水装置。
【請求項２】
上記吐水装置本体は可撓性のホースを介して上記供給管に接続され、上記直流吐水部及び上記シャワー吐水部が、引き出し可能に構成されている請求項１記載の吐水装置。
【請求項３】
上記切換用閉鎖体は上記吐水装置本体に固定されており、上記切換用通水孔は、上記切換用閉鎖体の周囲に配置された通水孔付筒体の内部に形成されており、この通水孔付筒体は、回転されることにより、上記直流吐水方向に移動され、上記切換用通水孔を通過した水道水は、上記通水孔付筒体に連通した上記直流吐水部から吐出される請求項１又は２記載の吐水装置。
【請求項４】
上記シャワー吐水部は、多数の散水口が幅広に分布した細長散水板と、この細長散水板の周囲に形成され、上記細長散水板からほぼ直角に立ち上がった散水板側壁部と、を有し、上記吐水装置本体のシャワー吐水部取付凹部の側壁面と上記散水板側壁部との間にシール部材を配置することにより、上記シャワー吐水部の水密性を確保している請求項１乃至３の何れか１項に記載の吐水装置。
【請求項５】
上記シャワー吐水部は、その一端が上記シャワー吐水部取付凹部に係合され、他端がシャワー吐水部固定用ネジにより上記吐水装置本体にネジ止めされている請求項４記載の吐水装置。
【請求項６】
上記シャワー吐水部固定用ネジは、上記シャワー吐水部に対して回転可能に固定されており、上記吐水装置本体にネジ止めされている上記シャワー吐水部固定用ネジを緩めることにより、上記シャワー吐水部は上記シャワー吐水部固定用ネジと共に上記シャワー吐水部取付凹部から浮き上がる請求項５記載の吐水装置。
【請求項７】
上記シャワー吐水部の上記細長散水板及び上記散水板側壁部は樹脂製であり、上記シャワー吐水部の、上記シャワー吐水部取付凹部に係合されるシャワー吐水部係合部及び上記吐水装置本体にネジ止めされるシャワー吐水部ネジ止部は金属製である請求項５又は６記載の吐水装置。
【発明の詳細な説明】
【技術分野】
【０００１】
本発明は吐水装置に関し、特に、シャワー吐水及び直流吐水が可能な吐水装置に関する。
【背景技術】
【０００２】
特許第３７６４５９２号公報（特許文献１）には、水栓器具が記載されている。この水栓器具は、その先端部に直流吐水用の吐水ヘッドが設けられており、この吐水ヘッドが水栓器具本体から引き出し可能なプルアウト式に構成されている。また、この水栓器具は、吐水ヘッドをその軸線方向に引き抜くことにより、直流吐水とシャワー吐水を切り換えることができるように構成されている。
【０００３】
【特許文献１】特許第３７６４５９２号公報
【発明の開示】
【発明が解決しようとする課題】
【０００４】
しかしながら、特許第３７６４５９２号公報記載の水栓器具は、吐水ヘッドを水栓器具の先端部が延びる方向に移動させることにより直流吐水とシャワー吐水を切り換える構造であるため、吐水中に切り換えを行うと直流吐水の吐出位置が変化するので、使用者が意図しない位置に水道水が吐出されてしまい使い勝手が悪いという問題がある。
【０００５】
また、特許第３７６４５９２号公報記載の水栓器具は、直流吐水とシャワー吐水の切り換えを二重管の抜き差しにより行う構造であるため、水栓器具が大型化すると共に、切り換え動作の確実性が低いという問題がある。
【０００６】
従って、本発明は、直流吐水とシャワー吐水の切り換え動作により吐出位置が変化せず、確実に切り換えを行うことができる吐水装置を提供することを目的としている。
【課題を解決するための手段】
【０００７】
上述した課題を解決するために、本発明は、シャワー吐水及び直流吐水が可能な吐水装置であって、水道水の供給管に接続された吐水装置本体と、この吐水装置本体の先端部に設けられ、所定の直流吐水方向に水道水を吐出させる直流吐水部と、吐水装置本体の、直流吐水部よりも基端側に設けられたシャワー吐水部と、吐水装置本体内に設けられ、供給管から流入した水道水を吐水装置本体の先端部まで導く往路管路と、この往路管路に対してほぼ平行に延び、往路管路によって吐水装置本体の先端部まで導かれた水道水を、吐水装置本体の先端部からシャワー吐水部にＵターンさせる折返し通路と、往路管路によって先端部に導かれた水道水を直流吐水部又は折返し通路に流入させる切換手段と、を有し、この切換手段は、直流吐水方向の相対移動により開閉される切換用閉鎖体及び切換用通水孔を備え、この切換用通水孔が開放されると直流吐水部から吐水され、切換用通水孔が閉鎖されると、水道水が折返し通路に流入されることを特徴としている。
【０００８】
このように構成された本発明においては、供給管から吐水装置本体に供給された水道水は、往路管路を通って吐水装置本体の先端部に到達する。往路管路によって先端部に導かれた水道水は、切換手段によって、直流吐水部、又は折返し通路を介してシャワー吐水部に流入される。切換手段は、直流吐水方向に相対移動される切換用閉鎖体及び切換用通水孔により切換用通水孔を開閉し、直流吐水部からの吐水と、シャワー吐水部からの吐水を切り換える。
【０００９】
このように構成された本発明によれば、直流吐水方向に相対移動される切換用閉鎖体及び切換用通水孔により、直流吐水とシャワー吐水が切り換えられるので、切り換え動作により吐出位置が変化するのを防止することができる。また、切換用閉鎖体と切換用通水孔の相対移動により切り換えを行うので、切り換え動作の確実性を高くすることができる。
【００１０】
本発明において、好ましくは、吐水装置本体は可撓性のホースを介して供給管に接続され、直流吐水部及びシャワー吐水部が、引き出し可能に構成されている。
このように構成された本発明によれば、切り換え動作により吐出位置が変化しないので、直流吐水部及びシャワー吐水部を引き出した状態でも容易に切り換えを行うことができ、吐水装置の操作性を向上させることができる。
【００１１】
本発明において、好ましくは、切換用閉鎖体は吐水装置本体に固定されており、切換用通水孔は、切換用閉鎖体の周囲に配置された通水孔付筒体の内部に形成されており、この通水孔付筒体は、回転されることにより、直流吐水方向に移動され、切換用通水孔を通過した水道水は、通水孔付筒体に連通した直流吐水部から吐出される。
このように構成された本発明によれば、直流吐水部と切換手段を一体に構成することができるので、吐水装置をコンパクトに構成することができる。
【００１２】
本発明において、好ましくは、シャワー吐水部は、多数の散水口が幅広に分布した細長散水板と、この細長散水板の周囲に形成され、細長散水板からほぼ直角に立ち上がった散水板側壁部と、を有し、吐水装置本体のシャワー吐水部取付凹部の側壁面と散水板側壁部との間にシール部材を配置することにより、シャワー吐水部の水密性を確保している。
このように構成された本発明によれば、細長い散水板を備えたシャワー吐水部を簡単な構造で確実にシールすることができる。
【００１３】
本発明において、好ましくは、シャワー吐水部は、その一端がシャワー吐水部取付凹部に係合され、他端がシャワー吐水部固定用ネジにより吐水装置本体にネジ止めされている。
このように構成された本発明によれば、外部に露出される固定用ネジの数を減らすことができ、吐水装置の外観を向上させることができる。
【００１４】
本発明において、好ましくは、シャワー吐水部固定用ネジは、シャワー吐水部に対して回転可能に固定されており、吐水装置本体にネジ止めされているシャワー吐水部固定用ネジを緩めることにより、シャワー吐水部はシャワー吐水部固定用ネジと共にシャワー吐水部取付凹部から浮き上がる。
このように構成された本発明によれば、シャワー吐水部をシャワー吐水部取付凹部から容易に取り外すことができる。
【００１５】
本発明において、好ましくは、シャワー吐水部の細長散水板及び散水板側壁部は樹脂製であり、シャワー吐水部の、シャワー吐水部取付凹部に係合されるシャワー吐水部係合部及び吐水装置本体にネジ止めされるシャワー吐水部ネジ止部は金属製である。
このように構成された本発明によれば、散水板を樹脂成形により容易に形成することができると共に、シャワー吐水部を強固に固定することができる。
【発明の効果】
【００１６】
本発明の吐水装置によれば、直流吐水とシャワー吐水の切り換え動作により吐出位置を変化させることなく、確実に切り換えを行うことができる。
【発明を実施するための最良の形態】
【００１７】
次に、添付図面を参照して、本発明の好ましい実施形態による吐水装置を説明する。
図１は、本発明の実施形態による吐水装置全体を示す斜視図である。図２は本実施形態による吐水装置の吐水ヘッド部分を拡大して示す断面図であり、直流吐水状態を示す。図３は、シャワー吐水状態を示す断面図である。
【００１８】
図１に示すように、本実施形態による吐水装置１は、流し台のシンクや洗面ボウル等の近傍に取り付けられる吐水装置であり、吐水ヘッド２と、この吐水ヘッド２を支持するベース部４と、このベース部４に設けられたシングルユニット部６と、を有する。さらに、吐水ヘッド２は、吐水装置本体８と、吐水装置本体８の先端部に設けられた直流吐水部１０と、吐水装置本体８の直流吐水部１０よりも基端側に設けられたシャワー吐水部１２と、を有する。
【００１９】
本実施形態による吐水装置１は、シングルユニット部６のレバーを操作することにより、吐水流量及び吐水温度を調整することができるように構成されている。また、吐水装置１は、直流吐水部１０を操作することにより、水道水が一本の太い流れで吐出される直流吐水と、幅広に分布したシャワー吐水を切り換えることができるように構成されている。
【００２０】
図２及び図３に示すように、吐水ヘッド２は、吐水装置本体８と、この吐水装置本体８の基端部に接続された可撓性のホース１４と、吐水装置本体８の軸線に対してほぼ直角に延びるように吐水装置本体８に取り付けられた切換用閉鎖体１６と、この切換用閉鎖体１６の周囲に配置された通水孔付筒体１８と、吐水装置本体８の直流吐水部１０よりも基端側に取り付けられた散水板部材２０と、を有する。
【００２１】
吐水装置本体８は、概ね円柱状の部材であり、その基端側が、吐水装置１のベース部４に着脱可能に取り付けられるように構成されている。また、吐水装置本体８の基端には可撓性のホース１４が接続されており、吐水装置本体８が可撓性のホース１４と共にベース部４から引き出すことができるようになっている。
【００２２】
また、吐水装置本体８の内部には、その長手方向軸線Ａとほぼ平行に延びるように往路管路８ａが形成されており、この往路管路８ａは、可撓性のホース１４に連通されている。さらに、吐水装置本体８の先端部には、長手方向軸線Ａに対してほぼ直交する直交軸線Ｂ方向に延びるように直流吐水部取付凹部８ｂが形成されている。この直流吐水部取付凹部８ｂは概ね円筒形に形成されており、その奥部において往路管路８ａと連通されている。これにより、直流吐水は、直流吐水方向である直交軸線Ｂ方向に吐出される。
【００２３】
また、吐水装置本体８の、直流吐水部取付凹部８ｂよりも基端側には、シャワー吐水部取付凹部８ｃが形成されている。このシャワー吐水部取付凹部８ｃは、概ね小判形断面の長穴であり、往路管路８ａの下側に形成されている。さらに、直流吐水部取付凹部８ｂとシャワー吐水部取付凹部８ｃの間には、それらを連通させるように、折返し通路８ｄが、往路管路８ａとほぼ平行に形成されている。シャワー吐水時においては、往路管路８ａによって吐水装置本体８の先端部に導かれた水道水は、折返し通路８ｄを通ってＵターンされ、シャワー吐水部取付凹部８ｃに流入する。
【００２４】
可撓性のホース１４は、水道水の供給管（図示せず）に接続されており、シングルユニット部６において流量及び温度が調整された水道水（湯水）が流入するように構成されている。可撓性のホース１４は、吐水ヘッド２をベース部４に装着した際には、ベース部４内部及びベース部４を取り付けたカウンター板（図示せず）の下に収納され、吐水ヘッド２をベース部４から取り外すと、吐水ヘッド２と共に引き出される。
【００２５】
切換用閉鎖体１６は棒状の部材であり、直流吐水部取付凹部８ｂの中心軸線上に、直交軸線Ｂ方向に延びるように配置されている。切換用閉鎖体１６の上端には雄ネジが形成されており、切換用閉鎖体１６は、この雄ネジを直流吐水部取付凹部８ｂの奥部に形成された雌ネジに螺合させることにより、吐水装置本体８に固定される。また、切換用閉鎖体１６の下端には拡径部が形成されており、この拡径部の周囲にパッキン１６ａを取り付けることにより、切換用通水孔１８ａを開閉できるように構成されている。
【００２６】
通水孔付筒体１８は、切換用閉鎖体１６の周囲を取り囲むように配置された概ね円筒状の部材であり、直流吐水部１０として機能する。また、通水孔付筒体１８は、直流吐水部取付凹部８ｂに受け入れられており、直流吐水時においては、その上端から流入した水道水が下端から直流吐水として吐出される。従って、直流吐水は、通水孔付筒体１８の下端から吐水装置本体８の先端部に対してほぼ直角に吐出される。また、通水孔付筒体１８内周のほぼ中間には段部が形成されており、この段部は、切換用閉鎖体１６によって開閉される切換用通水孔１８ａとして機能する。
【００２７】
さらに、通水孔付筒体１８の外周部には雄ネジ山１８ｂが形成されている。一方、吐水装置本体８の直流吐水部取付凹部８ｂの中には、通水孔付筒体１８を取り囲むように、雌ネジ形成部材２２が取り付けられている。この雌ネジ形成部材２２の内周に形成された雌ネジ山は、通水孔付筒体１８の雄ネジ山１８ｂと螺合されている。この構成により、通水孔付筒体１８が直交軸線Ｂを中心に吐水装置本体８に対して回動されると、通水孔付筒体１８は直交軸線Ｂに沿って移動される。
【００２８】
図２に示すように、通水孔付筒体１８が上方に位置する場合には、切換用通水孔１８ａは切換用閉鎖体１６のパッキン１６ａから離れるので、切換用通水孔１８ａが開放される。これにより、図２に矢印で示すように、往路管路８ａから通水孔付筒体１８に流入した水道水は、通水孔付筒体１８の下端から直流吐水として吐出される。
【００２９】
一方、図３に示すように、通水孔付筒体１８が下方に位置する場合には、切換用閉鎖体１６のパッキン１６ａが切換用通水孔１８ａに当接し、切換用通水孔１８ａが閉鎖される。これにより、図３に矢印で示すように、往路管路８ａから直流吐水部取付凹部８ｂに流入した水道水は、折返し通路８ｄを通ってシャワー吐水部取付凹部８ｃに流入する。シャワー吐水部取付凹部８ｃに流入した水道水は、シャワー吐水部１２からシャワー吐水として吐出される。従って、切換用閉鎖体１６及び通水孔付筒体１８は、水道水を直流吐水部１０又は折返し通路８ｄに流入させる切換手段として機能する。
【００３０】
次に、図４を参照して、シャワー吐水部１２の構成を説明する。図４は、シャワー吐水部の分解斜視図である。
図４に示すように、シャワー吐水部１２は、散水板部材２０と、この散水板部材２０の両側に取り付けられる２枚のＵ字型プレート２４と、散水板部材２０を吐水装置本体８に固定するための散水板固定プレート２６と、シャワー吐水部固定用ネジ２８と、を有する。
【００３１】
散水板部材２０には、多数の散水口が幅広に分布して形成された概ね小判形の細長散水板２０ａと、この細長散水板２０ａの周囲に形成され、細長散水板２０ａからほぼ直角に立ち上がった散水板側壁部２０ｂが一体的に形成されている。本実施形態においては、散水板部材２０は樹脂製である。また、散水板側壁部２０ｂの外周にはシール部材３０が配置されている。
【００３２】
Ｕ字型プレート２４は、概ねＵ字型に形成された金属プレートであり、Ｕ字型の２本の脚部が、散水板側壁部２０ｂに形成された溝に受け入れられることにより、散水板部材２０に取り付けられる。
【００３３】
散水板固定プレート２６は、散水板部材２０を取り囲むように配置される細長い金属プレートである。散水板固定プレート２６の先端部にはシャワー吐水部係合部２６ａが形成され、その基端部には、シャワー吐水部固定用ネジ２８を通すシャワー吐水部ネジ止部である穴２６ｂが形成されている。また、散水板固定プレート２６の中央には、散水板部材２０の下部を受け入れるための長穴２６ｃが形成されている。また、散水板固定プレート２６には、４つの雌ネジ穴２６ｄが設けられている。
【００３４】
さらに、散水板固定プレート２６の穴２６ｂには、シャワー吐水部固定用ネジ２８が通され、止め輪２８ａによって固定される。これにより、シャワー吐水部固定用ネジ２８は、散水板固定プレート２６に回転可能に固定される。
【００３５】
散水板部材２０に係合された２枚のＵ字型プレート２４は、雌ネジ穴２６ｄに螺合されるビス２４ａにより、散水板固定プレート２６に固定される。これにより、散水板部材２０、２枚のＵ字型プレート２４、及び散水板固定プレート２６が一体化され、シャワー吐水部１２が構成される。
【００３６】
図２に示すように、一体化されたシャワー吐水部１２は、一端のシャワー吐水部係合部２６ａが、シャワー吐水部取付凹部８ｃの側壁面に形成された窪み８ｅに係合される。また、シャワー吐水部１２の他端は、シャワー吐水部固定用ネジ２８により吐水装置本体８にネジ止めされ、これにより、シャワー吐水部１２が吐水装置本体８に固定される。
【００３７】
シール部材３０は、シャワー吐水部１２がシャワー吐水部取付凹部８ｃ内に取り付けられると、散水板側壁部２０ｂとシャワー吐水部取付凹部８ｃの側壁面との間に挟まれて、シャワー吐水部１２の水密性を確保するように構成されている。この構造により、シール部材３０を散水板側壁部２０ｂと側壁面との間で弾性変形させる力は、シャワー吐水部１２を吐水装置本体８に固定する力とは無関係に、均等に作用するので、シャワー吐水部１２を固定する構造を簡略化することができる。
【００３８】
ここで、シール部材が細長散水板２０ａと平行な面の間に配置され、シャワー吐水部１２を吐水装置本体８に固定する力（図２における上方向の力）によってシール部材が弾性変形される構造である場合には、シール部材の各部を均等に弾性変形させることは困難になる。即ち、本実施形態のように、シャワー吐水部１２を一本のシャワー吐水部固定用ネジ２８で固定しただけでは、固定用ネジ近傍のシール部材のみが弾性変形され、固定用ネジから離れた位置ではシール部材は十分に弾性変形されないことになる。さらに、シャワー吐水部１２が細長いことを考慮すれば、三本以上の固定用ネジが必要なことになる。
【００３９】
次に、図１乃至図３を参照して、本発明の実施形態による吐水装置１の作用を説明する。
まず、使用者が、シングルユニット部６のレバーを操作することにより、吐水装置１を吐水状態とする。吐水ヘッド２が図２に示す直流吐水状態にされている場合には、シングルユニット部６を通過した水道水（湯水）は、可撓性のホース１４、往路管路８ａを通って、直流吐水部取付凹部８ｂに流入する。直流吐水状態においては、切換用閉鎖体１６は切換用通水孔１８ａから離座しているため、直流吐水部取付凹部８ｂに流入した水道水は、通水孔付筒体１８の内部を通って下端から直流吐水される。これにより、吐水装置本体８の先端部に対してほぼ直角に直流吐水される。
【００４０】
なお、図２に示す直流吐水状態においても、折返し通路８ｄの入口は、通水孔付筒体１８によって完全には閉鎖されていないが、折返し通路８ｄ入口の隙間は、切換用通水孔１８ａの開放されている面積よりも極めて小さいため、直流吐水部取付凹部８ｂに流入した水道水が折返し通路８ｄに漏れ出すことはない。
【００４１】
次に、使用者が、通水孔付筒体１８を回動させると、雄ネジ山１８ｂと雌ネジ形成部材２２の作用により、通水孔付筒体１８は、直流吐水が吐出される方向である直交軸線Ｂ方向に、即ち、図２の下方向に移動され、図３に示す状態となる。図３に示すシャワー吐水状態においては、切換用閉鎖体１６が通水孔付筒体１８の切換用通水孔１８ａに着座して、切換用通水孔１８ａが閉鎖される。また、これと同時に、通水孔付筒体１８が図３における下方向に移動されているので、折返し通路８ｄの入口の隙間が拡大される。これにより、直流吐水部取付凹部８ｂに流入した水道水は、Ｕターンされ、折返し通路８ｄを通ってシャワー吐水部取付凹部８ｃに流入する。シャワー吐水部取付凹部８ｃに流入した水道水は、散水板部材２０の細長散水板２０ａに形成された散水口からシャワー吐水として吐出される。
【００４２】
なお、本実施形態の吐水装置１においては、直流吐水とシャワー吐水を切り換える際、直流吐水部１０を構成する通水孔付筒体１８が、単に直流吐水の方向と平行に移動されるだけであるため、吐水を切り換える際に直流吐水の吐出位置が移動することはない。
【００４３】
次に、図５を参照して、本発明の実施形態による吐水装置１のメンテナンス手順を説明する。図５は、シャワー吐水部１２が吐水装置本体８から取り外された状態を示す断面図である。
【００４４】
本実施形態の吐水装置１において、シャワー吐水部１２の内部には、長期間の使用によりゴミ等がたまることがある。このため、使用者がシャワー吐水部１２を吐水装置本体８から取り外して清掃する必要がある。まず、図２又は図３に示す組立状態において、シャワー吐水部固定用ネジ２８を回転させて、これを緩める。これにより、図５に示すように、シャワー吐水部固定用ネジ２８は、吐水装置本体８に形成された雌ネジから抜け始める。
【００４５】
ここで、シャワー吐水部固定用ネジ２８は止め輪２８ａにより散水板固定プレート２６に固定されているので、シャワー吐水部固定用ネジ２８が抜け始めると、散水板固定プレート２６は止め輪２８ａによって下方に押され、吐水装置本体８から浮き上がる。これにより、使用者は、シャワー吐水部１２を容易にシャワー吐水部取付凹部８ｃから取り外すことができる。取り外したシャワー吐水部１２を清掃した後、使用者はシャワー吐水部係合部２６ａを窪み８ｅに挿入し、シャワー吐水部固定用ネジ２８を締めこむ。散水板固定プレート２６はシャワー吐水部固定用ネジ２８によって吐水装置本体８方向に押され、シャワー吐水部取付凹部８ｃに嵌め込まれ、固定される。
【００４６】
本発明の実施形態の吐水装置によれば、直流吐水方向に移動される通水孔付筒体により、直流吐水とシャワー吐水が切り換えられるので、通水孔付筒体の下端に形成された直流吐水部はその吐水方向に移動されるのみである。これにより、切り換え動作により直流吐水の吐出位置が変化するのを防止することができる。また、切換用閉鎖体と切換用通水孔の相対移動により切り換えを行うので、切り換え動作の確実性を高くすることができる。
【００４７】
また、本実施形態の吐水装置によれば、吐水装置本体先端の通水孔付筒体を回転操作することにより、直流吐水とシャワー吐水が切り換えられるので、直流吐水部及びシャワー吐水部を引き出した状態でも容易に切り換えを行うことができ、吐水装置の操作性を向上させることができる。
【００４８】
さらに、本実施形態の吐水装置によれば、通水孔付筒体が、切換手段と直流吐水部を兼ねているので、吐水装置をコンパクトに構成することができる。
また、本実施形態の吐水装置によれば、シール部材が散水板側壁部とシャワー吐水部取付凹部の側壁面との間で弾性変形されるので、シャワー吐水部を吐水装置本体に固定する力とは無関係に、シール部材を均等に弾性変形させることができる。これにより、確実に水密性を確保することができると共に、シャワー吐水部の固定構造を簡略化することができる。
【００４９】
さらに、本実施形態の吐水装置によれば、シャワー吐水部は、その一端がシャワー吐水部取付凹部に係合され、他端がシャワー吐水部固定用ネジにより吐水装置本体にネジ止めされているので、外部に露出される固定用ネジの数を減らすことができ、吐水装置の外観を向上させることができる。
【００５０】
また、本実施形態の吐水装置によれば、シャワー吐水部固定用ネジが散水板固定プレートに対して回転可能に固定されているので、固定用ネジを緩めることによりシャワー吐水部を浮き上がらせることができ、シャワー吐水部取付凹部に嵌め込まれているシャワー吐水部を容易に取り外すことができる。
【００５１】
さらに、本実施形態の吐水装置によれば、散水板部材が樹脂で形成され、Ｕ字型プレート及び散水板固定プレートが金属製であるので、散水板を樹脂成形により容易に形成することができると共に、シャワー吐水部を強固に固定することができる。
【００５２】
以上、本発明の好ましい実施形態を説明したが、上述した実施形態に種々の変更を加えることができる。特に、上述した実施形態においては、シングルユニット部において湯と水が混合された湯水が吐水ヘッドに流入していたが、水道水のみを直接吐水させる吐水装置や、給湯器からの湯を直接吐水させる吐水装置にも本発明を適用することができる。なお、本明細書においては、上記の湯水や湯を含めて、これらを水道水と称している。
【図面の簡単な説明】
【００５３】
【図１】本発明の実施形態による吐水装置全体を示す斜視図である。
【図２】本発明の実施形態による吐水装置の吐水ヘッド部分を拡大して示す断面図であり、直流吐水状態を示す。
【図３】本発明の実施形態による吐水装置の吐水ヘッド部分を拡大して示す断面図であり、シャワー吐水状態を示す。
【図４】シャワー吐水部の分解斜視図である。
【図５】シャワー吐水部が吐水装置本体から取り外された状態を示す断面図である。
【符号の説明】
【００５４】
Ａ      長手方向軸線
Ｂ      直交軸線（直流吐水方向）
１      本発明の実施形態による吐水装置
２      吐水ヘッド
４      ベース部
６      シングルユニット部
８      吐水装置本体
８ａ    往路管路
８ｂ    直流吐水部取付凹部
８ｃ    シャワー吐水部取付凹部
８ｄ    折返し通路
８ｅ    窪み
１０    直流吐水部
１２    シャワー吐水部
１４    可撓性のホース
１６    切換用閉鎖体
１６ａ  パッキン
１８    通水孔付筒体
１８ａ  切換用通水孔
１８ｂ  雄ネジ山
２０    散水板部材
２０ａ  細長散水板
２０ｂ  散水板側壁部
２２    雌ネジ形成部材
２４    Ｕ字型プレート
２４ａ  ビス
２６    散水板固定プレート
２６ａ  シャワー吐水部係合部
２６ｂ  穴（シャワー吐水部ネジ止部）
２６ｃ  長穴
２６ｄ  雌ネジ穴
２８    シャワー吐水部固定用ネジ
２８ａ  止め輪
３０    シール部材
【図１】
2009079420.tif 000003
【図２】
2009079420.tif 000004
【図３】
2009079420.tif 000005
【図４】
2009079420.tif 000006
【図５】
2009079420.tif 000007